(57)【要約】  【課題】操作パネルのスイッチの数を減少して、操作性を向上させる。  【解決手段】機械の状態を表示するモニタと、機械の機能を操作するためのスイッチとを備えた操作パネルに於いて、前記スイッチのうち４つのスイッチ２２，２３，２４，２５を前記モニタ２１に対して上下左右の十字状に配置し、通常作業時は、機械の基本機能を操作するために前記４つのスイッチ２２，２３，２４，２５を使用し、機械の設定時は、設定メニューを操作するために前記４つのスイッチ２２，２３，２４，２５を使用するように構成したことを特徴とする建設機械の操作パネルを提供する。【選択図】図２
2005068892.tif 000002
【特許請求の範囲】
【請求項１】
機械の状態を表示するモニタと、機械の機能を操作するためのスイッチとを備えた操作パネルに於いて、
前記スイッチのうち４つのスイッチを前記モニタに対して上下左右の十字状に配置し、通常作業時は、機械の基本機能を操作するために前記４つのスイッチを使用し、機械の設定時は、設定メニューを操作するために前記４つのスイッチを使用するように構成したことを特徴とする建設機械の操作パネル。
【請求項２】
機械の設定時は、前記４つのスイッチのうち、上下に配置された２つのスイッチをモニタに表示されるメニューの上下の移動選択操作するために使用し、左右に配置された２つのスイッチをモニタに表示されるメニューの左右の移動選択操作するために使用するように構成した請求項１記載の建設機械の操作パネル。
【請求項３】
機械の設定時は、前記４つのスイッチのうち、上下に配置された２つのスイッチをモニタに表示されるメニューの上下の移動選択操作するために使用し、左右に配置された２つのスイッチをメニューの決定ボタン、キャンセルボタンとして夫々使用するように構成した請求項１記載の建設機械の操作パネル。
【請求項４】
機械の設定時は、前記４つのスイッチのうち、左右に配置された２つのスイッチをモニタに表示されるメニューの左右の移動選択操作するために使用し、上下に配置された２つのスイッチをメニューの決定ボタン、キャンセルボタンとして夫々使用するように構成した請求項１記載の建設機械の操作パネル。
【請求項５】
前記４つのスイッチの中央部に、機械の通常作業状態と機械の設定状態とを切り換えるためのメニュースイッチを設けた請求項１乃至４の何れかに記載の建設機械の操作パネル。
【発明の詳細な説明】
【技術分野】
【０００１】
本発明は建設機械の操作パネルに関するものであり、特に、操作性を向上した建設機械の操作パネルに関するものである。
【背景技術】
【０００２】
従来、建設機械で機械の状態を表示するモニタと、機械の機能を操作するためのスイッチとを備えた操作パネルは知られている（例えば、特許文献１参照）。
【特許文献１】特開平５−２８７７８２号公報（第１〜９頁、図１）。
【発明の開示】
【発明が解決しようとする課題】
【０００３】
特許文献１記載の発明は、機械の状態を複数のイラストにて表示部に表示し、夫々のイラストに該当するスイッチを設けてあるため、スイッチの数が多数となり、操作が分かり難く誤操作の虞がある。
【０００４】
そこで、操作パネルのスイッチの数を減少して、操作性を向上させるために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、機械の状態を表示するモニタと、機械の機能を操作するためのスイッチとを備えた操作パネルに於いて、前記スイッチのうち４つのスイッチを前記モニタに対して上下左右の十字状に配置し、通常作業時は、機械の基本機能を操作するために前記４つのスイッチを使用し、機械の設定時は、設定メニューを操作するために前記４つのスイッチを使用するように構成した建設機械の操作パネルを提供する。
【０００６】
通常作業時は、前記４つのスイッチにて例えばウォッシャ、ワイパー、ライト等、機械の基本機能を操作できるようにする。機械の設定時は、前記４つのスイッチにて設定メニューを選択して操作する。
【０００７】
請求項２記載の発明は、機械の設定時は、前記４つのスイッチのうち、上下に配置された２つのスイッチをモニタに表示されるメニューの上下の移動選択操作するために使用し、左右に配置された２つのスイッチをモニタに表示されるメニューの左右の移動選択操作するために使用するように構成した建設機械の操作パネルを提供する。
【０００８】
機械の設定時は、前記４つのスイッチのうち、上に配置されたスイッチを操作するとメニューの上方へ移動して選択可能となり、下に配置されたスイッチを操作するとメニューの下方へ移動して選択可能となる。また、左に配置されたスイッチを操作するとメニューの左方へ移動して選択可能となり、右に配置されたスイッチを操作するとメニューの右方へ移動して選択可能となる。
【０００９】
請求項３記載の発明は、機械の設定時は、前記４つのスイッチのうち、上下に配置された２つのスイッチをモニタに表示されるメニューの上下の移動選択操作するために使用し、左右に配置された２つのスイッチをメニューの決定ボタン、キャンセルボタンとして夫々使用するように構成した建設機械の操作パネルを提供する。
【００１０】
機械の設定時は、前記４つのスイッチのうち、上に配置されたスイッチを操作するとメニューの上方へ移動して選択可能となり、下に配置されたスイッチを操作するとメニューの下方へ移動して選択可能となる。また、例えば、右に配置されたスイッチを操作すると選択されたメニューを決定でき、左に配置されたスイッチを操作すると決定されたメニューをキャンセルできる。或いは、左のスイッチを決定ボタン、右のスイッチをキャンセルボタンとしてもよい。
【００１１】
請求項４記載の発明は、機械の設定時は、前記４つのスイッチのうち、左右に配置された２つのスイッチをモニタに表示されるメニューの左右の移動選択操作するために使用し、上下に配置された２つのスイッチをメニューの決定ボタン、キャンセルボタンとして夫々使用するように構成した建設機械の操作パネルを提供する。
【００１２】
機械の設定時は、前記４つのスイッチのうち、左に配置されたスイッチを操作するとメニューの左方へ移動して選択可能となり、右に配置されたスイッチを操作するとメニューの儀方へ移動して選択可能となる。また、例えば、下に配置されたスイッチを操作すると選択されたメニューを決定でき、上に配置されたスイッチを操作すると決定されたメニューをキャンセルできる。或いは、上のスイッチを決定ボタン、下のスイッチをキャンセルボタンとしてもよい。
【００１３】
請求項５記載の発明は、前記４つのスイッチの中央部に、機械の通常作業状態と機械の設定状態とを切り換えるためのメニュースイッチを設けた建設機械の操作パネルを提供する。
【００１４】
メニュースイッチを一回押す毎と、機械の通常作業状態と機械の設定状態とが切り換わり、モニタにどちらの状態であるかが表示される。
【発明の効果】
【００１５】
請求項１記載の発明は、４つのスイッチをモニタに対して上下左右の十字状に配置し、夫々のスイッチにて機械の基本機能と設定メニューとの双方の操作を行うので、スイッチの数が減少し、操作性を向上できるとともに誤操作を防止できる。また、部品点数の減少からコストダウンに寄与できる。
【００１６】
請求項２記載の発明は、機械の設定時は、上下左右の十字状に配置された４つのスイッチにてメニューの上下左右の移動選択操作を行うので、スイッチを配置した方向とメニューの移動方向が同一となり、設定操作を感覚的に行うことができ、操作が簡単となる。
【００１７】
請求項３記載の発明は、機械の設定時は、十字状に配置された４つのスイッチのうち上下のスイッチにてメニューの上下の移動選択操作を行い、左右のスイッチにてメニューの決定またはキャンセルを行うので、上下２つのスイッチを配置した方向とメニューの移動方向が同一となり、しかも、左右２つのスイッチで決定及びキャンセルの操作を感覚的に行うことができ、操作が簡単となる。
【００１８】
請求項４記載の発明は、機械の設定時は、十字状に配置された４つのスイッチのうち左右のスイッチにてメニューの左右の移動選択操作を行い、上下のスイッチにてメニューの決定またはキャンセルを行うので、左右２つのスイッチを配置した方向とメニューの移動方向が同一となり、しかも、上下２つのスイッチで決定及びキャンセルの操作を感覚的に行うことができ、操作が簡単となる。
【００１９】
請求項５記載の発明は、前記４つのスイッチの中央部にメニュースイッチを設けたので、メニュースイッチの場所が分かり易く、また、スイッチの配置スペースもコンパクトとなる。
【発明を実施するための最良の形態】
【００２０】
以下、本発明の一実施の形態を図面に従って詳述する。図１は建設機械の一例として、油圧ショベルのオペレータキャブ１０の内部を示し、シート１１の左右両側にコンソールボックス１２，１３が設けられ、夫々のコンソールボックス１２，１３にブームやアーム等の作業用の操作レバー１４，１５を揺動自在に突設してある。
【００２１】
また、乗降側のコンソールボックス１２の近傍に、オペレータキャブ１０への乗降を規制するゲートバー１６を上下回動自在に設け、オペレータは該ゲートバー１６を跳ね上げてシート１１へ着座するように形成してある。シート１１の前方位置には、左右のクローラを駆動制御するための走行用の操作レバー１７，１８が設けられている。
【００２２】
そして、シート１１右側のオペレータキャブ内側面に操作パネル２０を配置してある。該操作パネル２０は、機械の状態の表示だけではなく、後述するように、機械の機能を操作するためのスイッチも備えている。
【００２３】
図２乃至図５は前記操作パネル２０を示し、前述したように、該操作パネル２０には機械の状態を示すモニタ２１と、機械の機能を操作するための各スイッチ２２乃至２８が設けられている。各スイッチのうち、上スイッチ２２、下スイッチ２３、左スイッチ２４、右スイッチ２５の４つのスイッチは、前記モニタ２１に対して上下左右の十字状に配置されている。そして、上下左右に配置された４つのスイッチ２２乃至２５の全体の輪郭は略円形状で、見栄えが良好であるとともに、視認性に優れた配置となっている。
【００２４】
前記４つのスイッチ２２乃至２５の中央部には、機械の通常作業状態と機械の設定状態とを切り換えるためのメニュースイッチ２６が設けられている。該メニュースイッチ２６は一回押す毎に、機械の通常作業状態と機械の設定状態とが切り換わり、モニタ２１にどちらの状態であるかが表示される。
【００２５】
更に、前記４つのスイッチ２２乃至２５の側方部に、オートアイドルスイッチ２７とエンジン停止スイッチ２８を配置する。オートアイドルスイッチ２７をオンすればオートアイドルモードとなり、前記操作レバー１４，１５を一定時間何も操作しないときは、自動的にエンジンの回転数をアイドリングに低下させて省エネを図り、該オートアイドルスイッチ２７をオフすればオートアイドルモードが解除されて、エンジンは常時高回転を維持する。また、例えば緊急時に、前記エンジン停止スイッチ２８をオンすれば、エンジンの回転が停止して機械の作動を緊急停止させることができる。
【００２６】
図２は前記メニュースイッチ２６の操作により、操作パネル２０を機械の通常作業状態にしたものであり、機械の通常作業状態では前記上下左右に配置された４つのスイッチ２２乃至２５は、機械の基本機能を操作するために使用する。例えば、上スイッチ２２はウォッシャスイッチ、下スイッチ２３はライトスイッチ、左スイッチ２４は走行変速スイッチ、右スイッチ２５はワイパスイッチの機能を操作するように構成されている。
【００２７】
例えば下スイッチ２３を操作すればライトが点灯し、モニタ２１には「LIGHT」の文字またはアイコンが選択若しくは点灯して、オペレータにライトが点灯中である旨を知らせる。また、左スイッチ２４を操作すれば走行変速が高低何れかの変速段に切り換わり、モニタ２１には「Hi」または「Low」の文字またはアイコンが選択若しくは点灯して、オペレータに走行変速位置を知らせる。
【００２８】
尚、前記４つのスイッチ２２乃至２５の機能は、前述のウォッシャスイッチ、ライトスイッチ、走行変速スイッチ、ワイパスイッチに限定されず、他の機能を操作するために使用するように構成することもできる。
【００２９】
図３は前記メニュースイッチ２６の操作により、操作パネル２０を機械の設定状態にしたものであり、機械の設定状態では前記上下左右に配置された４つのスイッチ２２乃至２５は、設定メニューを操作するために使用する。上スイッチ２２と下スイッチ２３はモニタ２１に表示されるメニューの上下の移動選択操作するために使用し、左スイッチ２４と右スイッチ２５はモニタ２１に表示されるメニューの決定操作とキャンセル操作するために使用する。
【００３０】
例えば、図示したモニタ２１のメインメニューで、「CLOCK」の位置で右スイッチ２５を操作すれば「CLOCK」の設定メニューが選択決定され、モニタ２１の表示がクロック設定のサブメニュー（図示せず）に切り換って、時刻の修正、アップダウン、時刻の決定等の文字またはアイコンが表示される。そして、前記４つのスイッチ２２乃至２５にて該当するメニューを選択し、時刻の設定を行う。仮に、「CLOCK」の位置で左スイッチ２４を操作すれば「CLOCK」の設定メニューがキャンセルされる。
【００３１】
また、図示したモニタ２１のメインメニューで、「CLOCK」の位置から下スイッチ２３を操作すれば、メインメニューが下方の「MAINTENANCE」へ移動し、右スイッチ２５で決定すれば、「MAINTENANCE」を選択できる。然る後は、モニタ２１の表示がメンテナンス設定のサブメニュー（図示せず）に切り換り、例えばオイル交換時期やフィルタ交換時期等、種々のメンテナンス情報が表示される。仮に、「MAINTENANCE」の位置で左スイッチ２４を操作すれば「MAINTENANCE」の設定メニューがキャンセルされる。
【００３２】
尚、図示は省略するが、左スイッチ２４を決定ボタンとして使用し、右スイッチ２５をキャンセルボタンとして使用することもできる。
【００３３】
さらに、図示したモニタ２１のメインメニューで、「CLOCK」或いは「MAINTENANCE」の位置から下スイッチ２３を操作すれば、メインメニューが下方の「SET UP」へ移動し、右スイッチ２５で決定すれば、「SET UP 」を選択できる。然る後は、モニタ２１の表示がセットアップ設定のサブメニュー（図示せず）に切り換り、機械の電源オン時に例えばオペレータが予め設定した作業モードに入り、或いは、予め所望のエアコン温度設定となる等、煩わしい初期設定を省略できる。また、セキュリティ関連でパスワードを入力する必要がある場合は、この「SET UP 」で、新たなパスワードの設定を行うことができる。
【００３４】
一方、図４に示すように、前記メニュースイッチ２６の操作により、操作パネル２０を機械の通常作業状態にした場合に、前記上下左右に配置された４つのスイッチ２２乃至２５のうち、上スイッチ２２と下スイッチ２３はモニタ２１に表示されるメニューの上下の移動選択操作するために使用し、左スイッチ２４と右スイッチ２５はモニタ２１に表示されるメニューの左右の移動選択操作するために使用する。
【００３５】
また、図５に示すように、前記メニュースイッチ２６の操作により、操作パネル２０を機械の通常作業状態にした場合に、前記上下左右に配置された４つのスイッチ２２乃至２５のうち、左スイッチ２４と右スイッチ２５はモニタ２１に表示されるメニューの左右のの移動選択操作するために使用し、上スイッチ２２と下スイッチ２３はモニタ２１に表示されるメニューの左右の移動選択操作するために使用するように構成してもよい。
【００３６】
たとえば、所望のメニューの位置で、下スイッチ２３を操作すればそのメニューが決定され、上スイッチ２２を操作すればそのメニューがキャンセルされる。尚、この場合も、上スイッチ２２を決定ボタンとして使用し、下スイッチ２３をキャンセルボタンとして使用することもできる。
【００３７】
尚、本発明は、本発明の精神を逸脱しない限り種々の改変を為すことができ、そして、本発明が該改変されたものに及ぶことは当然である。
【図面の簡単な説明】
【００３８】
図は本発明の一実施の形態を示すものである。
【図１】油圧ショベルのオペレータキャブの内部を示す斜視図。
【図２】機械の通常作業状態に於ける操作パネルの正面図。
【図３】機械の設定状態に於ける操作パネルの正面図。
【図４】機械の通常作業状態に於ける操作パネルの正面図。
【図５】機械の通常作業状態に於ける操作パネルの正面図。
【符号の説明】
【００３９】
２０  操作パネル
２１  モニタ
２２  上スイッチ
２３  下スイッチ
２４  左スイッチ
２５  右スイッチ
２６  メニュースイッチ
２７  オートアイドルスイッチ
２８  エンジン停止スイッチ
２９  時計の表示部  
【図１】
2005068892.tif 000003
【図２】
2005068892.tif 000004
【図３】
2005068892.tif 000005
【図４】
2005068892.tif 000006
【図５】
2005068892.tif 000007